(57)【要約】【課題】  作業機系回路のチルトシリンダ１６を制御するチルト用制御弁１７等を小型化する。【解決手段】  リフト用制御弁１５とチルト用制御弁１７との間における中立流路１２に第１制御絞り１９を設けるとともに、この第１制御絞り１９前後の差圧を一定に保って設定流量以上の流量をタンクに戻す圧力補償弁２０を設ける一方、パラレル通路１３であって、リフト用制御弁１５に通じる分岐通路２３よりも下流側に第２制御絞り２４を設けた。【選択図】  図１
2006306573.tif 000002
【特許請求の範囲】
【請求項１】
定吐出量形ポンプと、この定吐出量形ポンプに接続した供給通路と、この供給通路に接続した作業機系回路とを備え、この作業機系回路には、リフトシリンダを制御するリフト用制御弁と、このリフト用制御弁の下流側にあってチルトシリンダを制御するチルト用制御弁とを接続し、これらリフト用制御弁およびチルト用制御弁が中立位置にあるとき、定吐出量形ポンプからの吐出流体は、上記両制御弁およびそれら制御弁を接続する中立流路を経由してタンクに導かれ、上流側のリフト用制御弁を中立位置以外の位置に切り換えたとき、定吐出量形ポンプからの吐出流体がパラレル通路を介してリフト用制御弁およびチルト用制御弁に供給される構成にしたフォークリフト用制御回路において、上記リフト用制御弁とチルト用制御弁との間における上記中立流路に第１制御絞りを設けるとともに、この第１制御絞り前後の差圧を一定に保って設定流量以上の流量をタンクに戻す圧力補償弁を設ける一方、上記パラレル通路であって、リフト用制御弁に通じる分岐通路よりも下流側に第２制御絞りを設けたフォークリフト用制御回路。
【発明の詳細な説明】
【技術分野】
【０００１】
この発明は、少なくともリフトシリンダおよびチルトシリンダを備えたフォークリフト用制御回路に関する。
【背景技術】
【０００２】
この種のものとして特許文献１に記載された制御回路が従来から知られているが、この従来の制御回路は、上流側のリフト用制御弁を中立位置に保ってリフトシリンダを作動させない状態で、下流側のチルト用制御弁あるいはチルト用制御弁の下流側に設けたアタッチメント用制御弁を切り換えて、チルトシリンダあるいはアタッチメント用アクチュエータを作動させると、ポンプ吐出量の全量が上記チルトシリンダあるいはアタッチメント用アクチュエータに供給される。
【０００３】
ところが、フォークリフトにおいては、チルトシリンダやアタッチメント用アクチュエータの容量が、リフトシリンダの半分あるいはそれ以下というのが一般的である。しかし、定吐出量形ポンプの最大吐出量は、容量の大きいリフトシリンダを基準に設定される。そのために、チルト用制御弁あるいはアタッチメント用制御弁も、大容量に対応するために、リフト用制御弁と同じ大きさのものを用いざるを得ないというのが現状である。
【特許文献１】特開平８−９１７９３号公報
【発明の開示】
【発明が解決しようとする課題】
【０００４】
上記のように従来のフォークリフト用制御回路では、チルト用制御弁あるいはアタッチメント用制御弁を大型化せざるを得ないので、その分、コストアップにつながるという問題があった。また、上記チルト用制御弁あるいはアタッチメント用制御弁のそれぞれを小型化する手段として、リフトシリンダ専用のポンプと、チルトシリンダあるいはアタッチメント用アクチュエータ専用のポンプとを別々に設けるということも従来から行われているが、これらもコストアップという問題を解決することができなかった。
【０００５】
この発明の目的は、チルト用制御弁等を小型化できるフォークリフト用制御回路を提供することである。
【課題を解決するための手段】
【０００６】
この発明は、定吐出量形ポンプと、この定吐出量形ポンプに接続した供給通路と、この供給通路に接続した作業機系回路とを備え、この作業機系回路には、リフトシリンダを制御するリフト用制御弁と、このリフト用制御弁の下流側にあってチルトシリンダを制御するチルト用制御弁とを接続し、これらリフト用制御弁およびチルト用制御弁が中立位置にあるとき、定吐出量形ポンプからの吐出流体は、上記両制御弁およびそれら制御弁を接続する中立流路を経由してタンクに導かれ、上流側のリフト用制御弁を中立位置以外の位置に切り換えたとき、定吐出量形ポンプからの吐出流体がパラレル通路を介してリフト用制御弁およびチルト用制御弁に供給される構成にしたフォークリフト用制御回路を前提にする。
【０００７】
上記の制御回路を前提にしつつ、この発明は、上記リフト用制御弁とチルト用制御弁との間における上記中立流路に第１制御絞りを設けるとともに、この第１制御絞り前後の差圧を一定に保って設定流量以上の流量をタンクに戻す圧力補償弁を設ける一方、上記パラレル通路であって、リフト用制御弁に通じる分岐通路よりも下流側に第２制御絞りを設けた点に特徴を有する。
【０００８】
なお、この発明において、リフトシリンダを制御するリフト用制御弁と、チルトシリンダを制御するチルト用制御弁とは必須の構成要素であるが、上記チルト用制御弁の下流側に、アタッチメント用アクチュエータを制御するアタッチメント用制御弁を、必要に応じて設けてもよいが、このアタッチメント用制御弁は必ずしも絶対的な構成要素ではない。
【発明の効果】
【０００９】
この発明によれば、チルト用制御弁あるいはチルト用制御弁よりも下流側には、第１，２圧力補償弁で設定された設定流量以上の流量が供給されない。したがって、この設定流量をチルトシリンダあるいはアタッチメント用アクチュエータが必要とする最小限の流量に設定しておけば、それらチルトシリンダあるいはアタッチメント用アクチュエータを制御するチルト用制御弁等を小型化できる。
【発明を実施するための最良の形態】
【００１０】
この発明の実施形態を示す図１において、定吐出量形ポンプＰには、ポンプ通路１を接続するとともに、このポンプ通路１は優先弁２の流入ポート３に連通させている。このようにした優先弁２は、その制御流ポート４をステアリング系回路５に接続し、余剰流ポート６を作業機系回路７に接続している。
【００１１】
そして、上記優先弁２はステアリング系回路５に制御流量Ｑ1を優先的に供給し、この制御流量Ｑ1以上の余剰流量Ｑ2を作業機系回路７に供給するが、上記制御流量Ｑ1は制御絞り８とスプリング９とによって決められる。すなわち、上記優先弁２は、その一方のパイロット室２ａに制御絞り８の上流側の圧力を導き、他方のパイロット室２ｂに制御絞り８の下流側の圧力を導く構成にするとともに、上記他方のパイロット室２ｂにスプリング９を設けている。
【００１２】
このようにした優先弁２は、制御絞り８前後の差圧が、スプリング９のバネ力に等しくなるように作動する。言い換えると、制御絞り８前後の差圧を一定に保って、ステアリング系回路５に供給される制御流量Ｑ1を常に一定に保つようにしている。そして、上記制御流量Ｑ1以上の余剰流量Ｑ2が流入ポート３に流入したときには、その余剰流量Ｑ2を余剰流ポート６から流出するものである。
なお、図中符号１０はダンパー絞りである。
【００１３】
さらに、作業機系回路７には、優先弁２の余剰流ポート６に接続した供給通路１１を、中立流路１２とパラレル通路１３とに分岐させている。このようにした中立流路１２およびパラレル通路１３のそれぞれには、その最上流にリフトシリンダ１４を制御するリフト用制御弁１５を接続し、このリフト用制御弁１５の下流側に、チルトシリンダ１６を制御するチルト用制御弁１７を接続し、さらに、このチルト用制御弁１７の下流側に、図示していないアタッチメント用アクチュエータを制御するアタッチメント用制御弁１８を接続している。
【００１４】
そして、上記各制御弁１５，１７，１８のそれぞれは、それらが図示の中立位置にあるとき、余剰流ポート６から流出した作動流体を、中立流路１２を介してタンクＴに還流させる。
【００１５】
上記のようにした中立流路１２であって、リフト用制御弁１５とチルト用制御弁１７との間に、言い換えると、チルト用制御弁１７の上流側に第１制御絞り１９を設けるとともに、この第１制御絞り１９の上流側であってリフト用制御弁１５の下流側における中立流路１２に接続したブリードオフ通路ａを接続するとともに、このブリードオフ通路ａに圧力補償弁２０を設けている。
【００１６】
上記圧力補償弁２０は、その一方のパイロット室２０ａを上記第１制御絞り１９の上流側に接続し、他方のパイロット室２０ｂを第１制御絞り１９の下流側に接続している。しかも、この他方のパイロット室２０ｂには、スプリング２１を設けている。このようにした圧力補償弁２０は、それが開くことによって、上記中立流路１２を、タンク通路２２を介してタンクＴに連通させる。
【００１７】
上記のようにした圧力補償弁２０は、第１制御絞り１９前後の差圧が、スプリング２１のバネ力に等しくなるように、その制御機能を発揮するとともに、上記差圧が必要以上に大きくなるときには、余剰流量を、タンク通路２２を介してタンクＴに還流させる。そして、上記第１制御絞り１９前後の差圧の大きさによって、この第１制御絞りを通過する流量が決められるが、第１制御絞り１９を通過できる最大流量は、第１制御絞り１９の開口径と、圧力補償弁２０のパイロット室２０ａ，２０ｂの受圧面積と、スプリング２１のバネ力とを調整することによって、あらかじめ設定することができる。
【００１８】
今、第１制御絞り１９に上記最大流量以上の流量が流れようとすると、圧力補償弁２０は次のように機能する。すなわち、第１制御絞り１９を通過する最大流量以上の流量に応じて、第１制御絞り１９前後の差圧が大きくなる。このように差圧が大きくなれば、圧力補償弁２０は、その差圧を上記スプリング２１のバネ力に等しくなるまで、上記最大流量以上の流量を介してタンクＴに還流させて、上記差圧を小さくする。したがって、第１制御絞り１９の下流側には、上記最大流量である設定流量以下の流量のみが流れることになる。
【００１９】
さらに、前記パラレル通路１３であって、リフト用制御弁１５に通じる分岐通路２３よりも下流側に第２制御絞り２４を設けている。この第２制御絞り２４は、パラレル通路１３を経由して、チルト用制御弁１７およびアタッチメント用制御弁１８に供給される流量を制御するためのものである。
【００２０】
なお、図中符号２５はポンプ通路１に設けたメインリリーフ弁、２６はステアリング系回路５の圧力を制御するリリーフ弁である。
【００２１】
次に、この実施形態の作用を説明する。
今、定吐出量形ポンプＰが回転してポンプ通路１に作動流体が供給されると、優先弁２が機能して、一定の制御流量Ｑ１を、常に、ステアリング系回路５に供給し、その制御流量Ｑ１以上の余剰流量Ｑ２を作業機系回路７に分流させる。
【００２２】
上記のように優先弁２から作業機系回路７に分流された作動流体は、供給通路１１に供給されるが、各制御弁１５，１７，１８が図示の中立位置にあると、それら制御弁１５，１７，１８の中立ポートおよび中立流路１２を経由してタンクＴに還流される。
【００２３】
ただし、供給通路１１に供給された作動流体が中立流路１２を流れれば、上記作動流体は第１制御絞り１９を通過する。このように第１制御絞り１９に作動流体が流れれば、圧力補償弁２０が、前記したように第１制御絞り１９前後の差圧を一定に保つための制御機能を発揮するので、圧力補償弁２０は、前記した設定流量以上の流量をタンクＴに還流させる。言い換えると、第１制御絞り１９の下流側には、上記設定流量以下の流量しか流さないので、チルト用制御弁１７およびアタッチメント用制御弁１８のそれぞれは、上記設定流量を最大流量とした容量に対応できる。
【００２４】
また、上記のようにチルト用制御弁１７およびアタッチメント用制御弁１８を中立位置に保持したまま、リフト用制御弁１５を、図面右側位置である上げのポジションに切り換えたとき、リフト用制御弁１５の中立ポートが完全にふさがれるとは限らない。例えば、リフトシリンダ１４をインチング制御するときには、リフト用制御弁１５の中立流路がかなり大きく開いたままになる。したがって、この場合には、供給通路１１に供給された作動流体のほとんどが中立流路１２に流出する。
【００２５】
しかし、この場合にも、圧力補償弁２０が、前記した設定流量以上の流量をタンクＴに還流させるので、第１制御絞り１９の下流側には、上記設定流量以下の流量しか流さない。したがって、チルト用制御弁１７およびアタッチメント用制御弁１８のそれぞれは、上記設定流量を最大流量とした容量に対応できる。
【００２６】
さらに、リフト用制御弁１５をインチング制御時以上に大きく切り換えれば、その切り換え量に応じて、第１制御絞り１９を通過する流量が少なくなる。その流量が圧力補償弁２０で設定した流量以下であれば、その全量を第１制御絞り１９の下流側、すなわちチルト用制御弁１７およびアタッチメント用制御弁１８のそれぞれに供給する。この場合にも、チルト用制御弁１７およびアタッチメント用制御弁１８位は、圧力補償弁２０で設定した流量以上の流量は流れない。
【００２７】
また、リフト用制御弁１５を、図面左側位置である下げ位置に切り方ときには、リフト用制御弁１５の中立ポートは開いたままになるので、供給通路１１に供給された作動流体は、中立流路１２に供給されるが、この場合は、圧力補償弁２０が前記したと同様に機能して、設定流量以上の流量をタンクＴに還流させることになる。
【００２８】
一方、リフト用制御弁１５を中立位置に保持するとともに、チルト用制御弁１７あるいはアタッチメント用制御弁１８を左右いずれかに切り換えると、中立流路１２が上記制御弁１７あるいは１８で閉じられるので、供給通路１１に供給された作動流体は、パラレル通路１３に供給される。このようにしてパラレル通路１３に供給された作動流体は、第２制御絞り２４を経由して上記チルト用制御弁１７あるいはアタッチメント用制御弁１８に供給される。
【００２９】
したがって、上記チルト用制御弁１７あるいはアタッチメント用制御弁１８には、第２制御絞り２４の開度に応じた流量のみが供給されるとともに、この第２制御絞り２４の上流側の圧力が、メインリリーフ弁２５の設定圧以上になると、当該メインリリーフ弁２５が開弁することになる。
【００３０】
いずれにしても、上記した実施形態によれば、リフト用制御弁１５の下流側に設けたチルト用制御弁１７およびアタッチメント用制御弁１８には、設定流量以上の流量が流れないので、それら制御弁１７，１８は、その設定流量を最大流量とした容量に対応できれば足りることになり、その分、それら制御弁１７，１８を小型化できる。
【図面の簡単な説明】
【００３１】
【図１】この発明の実施形態を示す回路図である。
【符号の説明】
【００３２】
Ｐ      定吐出量形ポンプ
７      作業機系回路
１１      供給通路
１２      中立流路
１３      パラレル通路
１４      リフトシリンダ
１５      リフト用制御弁
１６      チルトシリンダ
１７      チルト用制御弁
１９      第１制御絞り
２０      圧力補償弁
Ｔ      タンク
２３      分岐通路
２４      第２制御絞り
【図１】
2006306573.tif 000003